(57)【特許請求の範囲】
【請求項１】
複写装置の本体を収容する筐体と、この筐体の内部と外部を連絡するためこの筐体に設けられた開閉可能なドアと、
このドアに取り付けられ、ドアの開閉運動と共動する押圧板と、
この押圧板により押圧されて揺動するレバー：インターロックＳＷと、
このレバー：インターロックＳＷを軸支し、複写装置の主電源系のＯＮ・ＯＦＦに使用するインターロックＳＷのアクチュエータボタンを備えたブラケット：インターロックＳＷと、
前記レバー：インターロックＳＷが複写装置の主電源系のＯＮ・ＯＦＦに使用するインターロックＳＷのアクチュエータボタンおよび書き込み系のレーザー電源のＯＮ・ＯＦＦに使用するマイクロＳＷのアクチュエータを押し込む構造となっており、
前記レバー：インターロックＳＷにスリット部を設けて、インターロックＳＷ押圧部とマイクロＳＷ押圧部に分けることにより、押圧板がレバー：インターロックＳＷを押し込んだとき、インターロックＳＷ押圧部はインターロックＳＷのアクチュエータボタンを押し込み、マイクロＳＷ押圧部はマイクロＳＷのアクチュエータを押し込む構造を有するドアスイッチユニットにおいて、
前記レバー：インターロックＳＷの材質を弾性材とし、
かつこのレバー：インターロックＳＷのマイクロＳＷ押圧部が、マイクロＳＷのアクチュエータを押し込む場合に、マイクロＳＷのアクチュエータと、ブラケット：インターロックＳＷの前側面部とが当接することで、このレバー：インターロックＳＷのマイクロＳＷ押圧部の押し込みを係止することを特徴とするドアスイッチユニット。
【請求項２】
前記レバー：インターロックＳＷのマイクロＳＷ押圧部のマイクロＳＷのアクチュエータ方向の長さをマイクロＳＷのアクチュエータの戻り力に応じて調整することを特徴とする請求項１記載のドアスイッチユニット。
【請求項３】
前記レバー：インターロックＳＷが支持部材に取り付けられており、この支持部材にレバー：インターロックＳＷが変形するのを防止するための突起形状物を設けたことを特徴とする請求項１または請求項２記載のドアスイッチユニット。
【発明の詳細な説明】
【０００１】
【発明の属する技術分野】
本発明は、複写装置のドアスイッチユニットに関する。
【０００２】
【従来の技術】
図１は従来のディジタル複写装置のドアスイッチユニットの斜視図、図２は図１のＡ方向から見た側面図である。これらの図に示すように、従来のディジタル複写装置のドアスイッチは、ドア２２に取り付けられた押圧板９がドア２２が閉まることによりレバー：インターロックＳＷ４を押し込み、さらにこのレバー：インターロックＳＷ４がインターロックＳＷ６のアクチュエータボタン６−１およびマイクロＳＷ２のアクチュエータ２−１を押し込むことにより、インターロックＳＷ６およびマイクロＳＷ２がＯＮする構造となっている。
なお、インターロックＳＷ６は、複写装置の主電源系のＯＮ・ＯＦＦに使用し、マイクロＳＷ２は、書き込み系のレーザー電源のＯＮ・ＯＦＦに使用している。
【０００３】
また、他の例としては、上記機構のインターロックＳＷの不具合対策のため、図３に示すように、レバー：インターロックＳＷ４にスリット部４ａー１を設け、インターロックＳＷ押圧部４ａ−４とマイクロＳＷ押圧部４ａ−２に分けることにより、押圧板９がインターロックＳＷ押圧部４ａ−４を押し込んだとき、インターロックＳＷ押圧部４ａ−４はそのままインターロックＳＷ６のアクチュエータボタン６−１を押し込み、またマイクロＳＷ押圧部４ａ−２はマイクロＳＷ２のアクチュエータ２−１を押し込むようになっている。
この時、押圧板９がレバー：インターロックＳＷ４を押し込み過ぎたとしても、レバー：インターロックＳＷ４ａの変形（弾性）部４ａ−３が図４で示すように湾曲して、マイクロＳＷ２のアクチュエータ２ー１の破損を防止する構造となっている。
【０００４】
【発明が解決しようとする課題】
ところで、上記技術では、ドア２２に取り付けられた押圧板９が予想以上に押し込まれた場合、アクチュエータ２−１を保護することは可能となるが、何回か押圧板９が押し込まれた状態においては、レバー：インターロックＳＷ４ａの変形部４ａ−３が永久変形し、マイクロＳＷ２の正規の動作範囲１８に対しアクチュエータ２−１の押し込み量が、図５に示す隙間３１分減少してしまい、場合によってはマイクロＳＷ２がＯＮしないおそれがある。
【０００５】
また、レバー：インターロックＳＷ４ａの材質を弾性部材にしたことにより、図８で示すようにマイクロＳＷ押圧部４ｂ−２がマイクロＳＷ２のアクチュエータ２−１の戻り力により矢印１２の方向に押し戻され、場合によってはマイクロＳＷ２がＯＦＦの状態となってしまう可能性がある。
さらに、レバー：インターロックＳＷ４ａの材質を弾性部材にしたことにより、図９、図１０で示すようにドアＳＷユニットをステー８に取付け時、矢印１３方向から力が加わった場合に、レバー：インターロックＳＷ４ｂが矢印１３と同方向に変形、押し下げられ、マイクロＳＷ２のアクチュエータ２−１がレバー：インターロックＳＷ４ｂのマイクロＳＷ押圧部４ｂ−２上部に潜り込む欠点がある。
【０００６】
そこで、本発明の第１の目的は、レバー：インターロックＳＷの材質を弾性体とし、永久変形することを防止し、かつインターロックＳＷを押し過ぎた場合にマイクロＳＷアクチュエータの破損を防止することができるドアスイッチユニットを提供することである。
本発明の第２の目的は、マイクロＳＷ押圧部の長さをアクチュエータに押し戻される量を反映したことにより、確実にマイクロスイッチをＯＮすることができるドアスイッチユニットを提供することである。
本発明の第３の目的は、前記レバー：インターロックＳＷが変形するのを防止するドアスイッチユニットを提供することである。
【０００７】
【課題を解決するための手段】
請求項１記載の発明では、複写装置の本体を収容する筐体と、この筐体の内部と外部を連絡するためこの筐体に設けられた開閉可能なドアと、このドアに取り付けられ、ドアの開閉運動と共動する押圧板と、この押圧板により押圧されて揺動するレバー：インターロックＳＷと、このレバー：インターロックＳＷを軸支し、複写装置の主電源系のＯＮ・ＯＦＦに使用するインターロックＳＷのアクチュエータボタンを備えたブラケット：インターロックＳＷと、前記レバー：インターロックＳＷが複写装置の主電源系のＯＮ・ＯＦＦに使用するインターロックＳＷのアクチュエータボタンおよび書き込み系のレーザー電源のＯＮ・ＯＦＦに使用するマイクロＳＷのアクチュエータを押し込む構造となっており、前記レバー：インターロックＳＷにスリット部を設けて、インターロックＳＷ押圧部とマイクロＳＷ押圧部に分けることにより、押圧板がレバー：インターロックＳＷを押し込んだとき、インターロックＳＷ押圧部はインターロックＳＷのアクチュエータボタンを押し込み、マイクロＳＷ押圧部はマイクロＳＷのアクチュエータを押し込む構造を有するドアスイッチユニットにおいて、前記レバー：インターロックＳＷの材質を弾性材とし、かつこのレバー：インターロックＳＷのマイクロＳＷ押圧部が、マイクロＳＷのアクチュエータを押し込む場合に、マイクロＳＷのアクチュエータと、ブラケット：インターロックＳＷの前側面部とが当接することで、このレバー：インターロックＳＷのマイクロＳＷ押圧部の押し込みを係止することを特徴とすることにより、前記第１の目的を達成する。
【０００８】
請求項２記載の発明では、請求項１記載の発明において、前記レバー：インターロックＳＷのマイクロＳＷ押圧部のマイクロＳＷのアクチュエータ方向の長さをマイクロＳＷのアクチュエータの戻り力に応じて調整することにより、前記第２の目的を達成する。
【０００９】
請求項３記載の発明では、請求項１または請求項２記載の発明において、前記レバー：インターロックＳＷが支持部材に取り付けられており、この支持部材にレバー：インターロックＳＷが変形するのを防止するための突起形状物を設けたことにより、前記第３の目的を達成する。
【００１０】
【発明の実施の形態】
以下、本発明の好適な実施の形態を図１ないし図１３を参照して詳細に説明する。
第１の実施の形態では、レバー：インターロックＳＷ４ａの材質を弾性体（例えば、ＳＵＳ材・モールド材）とし、またレバー：インターロックＳＷ４ａのマイクロＳＷ押圧部４ｂー２の先端がブラケット：インターロックＳＷ１の前側面部１−１に突き当たる形状とする（図６参照）。
こうして、レバー：インターロックＳＷ４ａの変形部４ａ−３が永久変形することを防止することができ、確実にマイクロＳＷ２のアクチュエータ２−１を押し込むことができる。
また、レバー：インターロックＳＷ４ａのマイクロＳＷ押圧部４ｂー２の先端がブラケット：インターロックＳＷ１の前側面部１−１に突き当たる形状としたことにより、押圧板９がレバー：インタロックＳＷ４ｂを押し過ぎた場合においても、マイクロＳＷ２のアクチュエータ２−１の破損を防止することができる。
【００１１】
第２の実施の形態では、図８で示すようにマイクロＳＷ押圧部４ｂ−２がマイクロＳＷ２のアクチュエータ２−１の戻り力により矢印１２の方向に押し戻される量１１を計算または実測値で求め、図１３で示すようにマイクロＳＷ押圧部長さ１４に前述の押し戻り量１１を反映して、マイクロＳＷ押圧部長さ１４を長くする。そして、確実にマイクロＳＷ押圧部先端がブラケット：インターロックＳＷ１の前側面部１−１に突き当たる形状とする。
こうして、確実にマイクロＳＷ２をＯＮすることができる。
【００１２】
第３の実施の形態では、図１１、図１２で示すように、ブラケット：インターロックＳＷ１ａの前側面部１ａ−１の上部に突起形状１ａ−２を設け、図９の矢印１３方向からレバー：インターロックＳＷ４ｂが押されても、突起形状１ａ−２においてレバー：インターロックＳＷ４ｂが矢印１３方向へ変形、押し下げられないようにする。
こうして、突起形状１ａ−２においてレバー：インターロックＳＷ４ｂが矢印１３方向へ変形（押し下げられる）することによるアクチュエータ２−１のマイクロＳＷ押圧部４ｂ−２上部への潜り込みを防止することができる。
【００１３】
【発明の効果】
請求項１記載の発明では、レバー：インターロックＳＷの材質を弾性体としたことにより、レバー：インターロックＳＷが永久変形することを防止でき、また、マイクロＳＷのアクチュエータと、ブラケット：インターロックＳＷの前側面部とが当接することで、このレバー：インターロックＳＷのマイクロＳＷ押圧部の押し込みを係止することにより、マイクロＳＷのアクチュエータの破損を防止することができる。
【００１４】
請求項２記載の発明では、前記レバー：インターロックＳＷのマイクロＳＷ押圧部のマイクロＳＷのアクチュエータ方向の長さをマイクロＳＷのアクチュエータ戻り力に応じて調整することにより、確実にマイクロＳＷをＯＮすることができる。
【００１５】
請求項３記載の発明では、支持部材にレバー：インターロックＳＷが変形するのを防止するための突起形状物を設けたことにより、レバー：インターロックＳＷの変形を防止することができる。
【図面の簡単な説明】
【図１】一般的なディジタル複写装置のドアスイッチユニットの斜視図である。
【図２】図１のＡ方向から見た側面図である。
【図３】レバー：インターロックＳＷにスリット部を設けた例を示した図である。
【図４】レバー：インターロックＳＷが弾性変形していることを示す図である。
【図５】レバー：インターロックＳＷが永久変形してマイクロＳＷの正規の動作範囲に対しアクチュエータの押し込み量が減少したところを示す図である。
【図６】第１の実施の形態で、レバー：インターロックの材質を弾性体とし、またマイクロＳＷ押圧部の先端がブラケット：インターロックＳＷの前側面部に突き当たる形状としたところを示す図である。
【図７】マイクロＳＷ押圧部がアクチュエータの戻り力により押し戻されている状態を説明する図である。
【図８】マイクロＳＷ押圧部がアクチュエータの戻り力により押し戻されている状態を拡大して説明する図である。
【図９】ドアＳＷユニットに矢印１３方向から力が加わった場合に、レバー：インターロックＳＷが矢印１３と同方向に変形、押し下げられるところ示した図である。
【図１０】図９のＢを拡大して説明する図である。
【図１１】突起形状を設けてレバー：インターロックＳＷの変形を防止している例を示した図である。
【図１２】図１１を拡大して説明する図である。
【図１３】マイクロＳＷ押圧部長さに押し戻り量を反映した例を示した図である。
【符号の説明】
１  ブラケット：インターロックＳＷ
１ａ−２  突起形状
２  マイクロＳＷ
４  レバー：インターロックＳＷ
６  インターロックＳＷ
２−１  アクチュエータ
４ａ−１  スリット部
４ａ−４  インターロックＳＷ押圧部
４ａ−２  マイクロＳＷ押圧部
６−１  アクチュエータボタン
９  押圧板
２２  ドア
【図１】
0004026978.tif 000002
【図２】
0004026978.tif 000003
【図３】
0004026978.tif 000004
【図４】
0004026978.tif 000005
【図５】
0004026978.tif 000006
【図６】
0004026978.tif 000007
【図７】
0004026978.tif 000008
【図８】
0004026978.tif 000009
【図９】
0004026978.tif 000010
【図１０】
0004026978.tif 000011
【図１１】
0004026978.tif 000012
【図１２】
0004026978.tif 000013
【図１３】
0004026978.tif 000014